(57)【要約】【課題】吸込口を開閉可能に覆うインレットパネルを空調本体に容易に組付けることが可能な空気調和機の室内機、及び空気調和機の室内機の組立方法を提供する。【解決手段】空調本体１１と、空調本体１１の前面に設けられて空気の吸込口１７を形成するとともに、空調本体１１とは別部材のインレットベース２１と、インレットベース２１の前面に設けられて、吸込口１７を覆うインレットパネル２２と、インレットベース２１とインレットパネル２２とを連結し、インレットパネル２２によって吸込口１７を開閉可能とする開閉リンク機構２４と、前記開閉リンク機構２４を収容し又は取り付けて、インレットパネル２２に開閉リンク機構２４が連結された状態で、インレットベース２１に取り付け可能なリンクケース２３と、空調本体１１に設けられて、開閉リンク機構２４を動作させる駆動機構１２と、を備えている室内機１０である。【選択図】図４
2018091506.tif 000002
【特許請求の範囲】
【請求項１】
空調本体と、
前記空調本体の前面に設けられて空気の吸込口を形成するとともに、前記空調本体とは別部材のインレットベースと、
前記インレットベースの前面に設けられて、前記吸込口を覆うインレットパネルと、
前記インレットベースと前記インレットパネルとを連結し、前記インレットパネルによって前記吸込口を開閉可能とする開閉リンク機構と、
前記開閉リンク機構を収容し又は取り付けて、前記インレットパネルに前記開閉リンク機構が連結された状態で、前記インレットベースに取り付け可能なリンクケースと、
前記空調本体に設けられて、前記リンク機構を動作させる駆動機構と、
を備える空気調和機の室内機。
【請求項２】
前記リンクケースと前記インレットベースとを係止して固定するための係止部が、前記リンクケース及び前記インレットベースに設けられている請求項１に記載の空気調和機の室内機。
【請求項３】
前記開閉リンク機構は、
前記リンクケースに上下方向に延びるように設けられたスライドレールと、
前記スライドレールにスライド自在に装着されたスライダと、
前記インレットパネルと前記リンクケースとに前記上下方向に回動可能に連結された上部リンクと、
上部リンクの下方に配置され、前記スライダと前記インレットパネルとに前記上下方向に回動可能に連結された下部リンクと、
前記スライダと前記上部リンクの中間位置とに前記上下方向に回動可能に連結された中間リンクと、
を備え、
前記駆動機構は、前記スライダを前記上下方向に移動可能である請求項１又は２に記載の空気調和機の室内機。
【請求項４】
前記インレットベースと前記インレットパネルとには、互いに変位可能に常時係止される引掛部が設けられている請求項１から３のいずれか一項に記載の空気調和機の室内機。
【請求項５】
請求項１から４のいずれか一項に記載の空気調和機の室内機の組み立て方法であって、
前記インレットパネルに前記開閉リンク機構を連結する連結工程と、
前記連結工程の後に、前記インレットベースと前記インレットパネルとを重ね、前記インレットベースに前記リンクケースを取付けるリンク取付工程と、
前記リンク取付工程の後に、前記空調本体に前記インレットベースと前記インレットパネルとを組付ける組付工程と、
を含む空気調和機の室内機の組立方法。
【発明の詳細な説明】
【技術分野】
【０００１】
本発明は空気調和機の室内機、及び空気調和機の室内機の組立方法に関する。
【背景技術】
【０００２】
従来より、室内機の空調本体の吸込口を開閉可能に覆うインレットパネルを装着した空気調和機が知られている。
例えば特許文献１では、空調本体の下部を支点として空調本体に回転可能に装着されたインレットパネルを、空調本体の駆動装置のリンク機構によって動作させることで、空気調和機の運転時に吸込口を自動で開く構造が開示されている。
【先行技術文献】
【特許文献】
【０００３】
【特許文献１】特開２００８−２６７７７７号公報
【発明の概要】
【発明が解決しようとする課題】
【０００４】
しかしながら、インレットパネルを空調本体に開閉可能に装着し、リンク機構を介して開閉駆動する従来の空気調和機では、空調本体に予め設けられたリンク機構に、インレットパネルを連結することで空調本体にインレットパネルを組付けている。その際、インレットパネルと空調本体との間の間隙で、リンク機構をインレットパネルに連結する作業が必要となる。特にインレットパネルと空調本体との間隙は狭くなっており、この狭い間隙で連結作業を行うことは非常に困難であり、組立時の作業性に問題がある。
【０００５】
そこで本発明は、吸込口を開閉可能に覆うインレットパネルを空調本体に容易に組付けることが可能な空気調和機の室内機、及び空気調和機の室内機の組立方法を提供する。
【課題を解決するための手段】
【０００６】
本発明の第一の態様に係る空気調和機の室内機は、空調本体と、前記空調本体の前面に設けられて空気の吸込口を形成するとともに、前記空調本体とは別部材のインレットベースと、前記インレットベースの前面に設けられて、前記吸込口を覆うインレットパネルと、前記インレットベースと前記インレットパネルとを連結し、前記インレットパネルによって前記吸込口を開閉可能とする開閉リンク機構と、前記開閉リンク機構を収容し又は取り付けて、前記インレットパネルに前記開閉リンク機構が連結された状態で、前記インレットベースに取り付け可能なリンクケースと、前記空調本体に設けられて、前記リンク機構を動作させる駆動機構と、を備えている。
【０００７】
このような室内機によれば、リンクケースに収容され、又は取り付けられた開閉リンク機構を予めインレットパネルに連結し、開閉リンク機構を収容し又は取り付けたリンクケースごと、インレットベースに取り付け、その後にインレットパネル、開閉リンク機構、及びインレットベースを一体で空調本体に組付けることができる。よって、空調本体にインレットパネルを組付ける際に、開閉リンク機構をインレットパネルに連結する作業を行わなくともよくなる。よってインレットパネルを空調本体に容易に組付けることが可能である。
【０００８】
また、本発明の第二の形態に係る室内機では、上記第一の態様において、前記リンクケースと前記インレットベースとを係止して固定するための係止部が、前記リンクケース及び前記インレットベースに設けられていてもよい。
このようにリンクケースとインレットベースとを係止するための係止部が設けられていれば、インレットベースにリンクケースを容易に取付けてこれらを固定することができ、インレットパネルに連結された開閉リンク機構をインレットベースを介して空調本体に組付ける作業をさらに容易に行うことができる。
【０００９】
また、本発明の第三の形態に係る室内機では、上記第一又は第二の態様において、前記開閉リンク機構は、前記リンクケースに上下方向に延びるように設けられたスライドレールと、前記スライドレールにスライド自在に装着されたスライダと、前記インレットパネルと前記リンクケースとに前記上下方向に回動可能に連結された上部リンクと、上部リンクの下方に配置され、前記スライダと前記インレットパネルとに前記上下方向に回動可能に連結された下部リンクと、前記スライダと前記上部リンクの中間位置とに前記上下方向に回動可能に連結された中間リンクと、を備え、前記駆動機構は、前記スライダを前記上下方向に移動可能であってもよい。
【００１０】
このような開閉リンク機構が設けられていることで、まずスライダを駆動機構で上方へ移動させると、中間リンクを上方へ移動させて上部リンクとインレットパネルとの連結位置を上方に移動させる。これによりインレットパネルを上昇させつつ、インレットパネルの上部をインレットベース及び吸込口から離間させることができる。
同時に下部リンクがスライダによって上方へ移動させられ、インレットパネルの下部がインレットベースに近接する方向に引っ張られつつインレットパネルを上昇させることができる。
【００１１】
その際インレットパネルの上部と下部が各リンクの位置や長さなどを適宜調整することで、インレットベースに対するインレットパネルの上昇量及び離間量を決定できる。そして各リンクの位置や長さを調整することで、容易にインレットパネルをインレットベース及び空調本体に対して傾斜させることができる。従って、スライダを上下動させるといった簡易な構造により、上部で吸込口を斜めに大きく開閉することが可能である。
【００１２】
また、本発明の第四の形態に係る室内機では、上記第一から第三の態様において、前記インレットベースと前記インレットパネルとには、互いに変位可能に常時係止される引掛部が設けられていてもよい。
このようにインレットベースとインレットパネルとが引掛部において互いに変位可能に常時係止されれば、インレットパネルの荷重を引掛部を介してインレットベースで支持することができる。そのため開閉リンク機構にインレットパネルから負荷される荷重を軽減でき、インレットパネルを滑らかに動作させ易くなり、また耐久性を確保し易くなる。
さらに、開閉リンク機構が連結されたインレットパネルをインレットベースに取り付ける際、引掛部によってインレットベースとインレットパネルとの位置決めを行いつつ取り付け作業を行うことができ、作業性の向上につながる。
【００１３】
また、本発明の第五の態様に係る空気調和機の室内機の組立方法では、上記第一から第四のいずれかの態様の空気調和機の室内機の組み立て方法であって、前記インレットパネルに前記開閉リンク機構を連結する連結工程と、前記連結工程の後に、前記インレットベースと前記インレットパネルとを重ね、前記インレットベースに前記リンクケースを取付けるリンク取付工程と、前記リンク取付工程の後に、前記空調本体に前記インレットベースと前記インレットパネルとを組付ける組付工程と、を含んでいる。
【００１４】
このような室内機の組立方法では、リンクケースに収容された開閉リンク機構を予めインレットパネルに連結し、開閉リンク機構を収容し又は取り付けたリンクケースごと、インレットベースに取り付け、その後にインレットパネル、開閉リンク機構、及びインレットベースを一体で空調本体に組付けることができる。よって、空調本体にインレットパネルを組付ける際に、開閉リンク機構を連結する作業を行わなくともよくなる。よってインレットパネルを空調本体に容易に組付けることが可能である。
【発明の効果】
【００１５】
上記の空気調和機の室内機、及びその組立方法によれば、吸込口を開閉可能に覆うインレットパネルを空調本体に容易に組付けることが可能である。
【図面の簡単な説明】
【００１６】
【図１】本発明の実施形態に係る空気調和機の室内機を斜め下から見た斜視図である。
【図２】本発明の実施形態に係る室内機の断面図である。
【図３】本発明の実施形態に係る室内機のインレット開閉機構における閉状態を示す断面図である。
【図４】本発明の実施形態に係る室内機のインレット開閉機構における開状態を示す断面図である。
【図５】本発明の実施形態に係る室内機のインレットベース及びインレットカバーの斜視図である。
【図６】本発明の実施形態に係る室内機の組立方法の組立工程を説明する斜視図である。
【図７】本発明の実施形態に係る室内機の組立方法の組立工程を説明する斜視図である。
【図８】本発明の実施形態に係る室内機の組立方法の組立工程を説明する斜視図である。
【図９】本発明の実施形態に係る室内機の組立方法の組立工程を説明する斜視図である。
【図１０】本発明の実施形態に係る室内機の組立方法の手順を示すフロー図である。
【発明を実施するための形態】
【００１７】
空気調和機１００は、室内に設けられる室内機１０と、室内機１０に配管によって接続されて室外に設けられる室外機（不図示）とを備えている。
室内機１０は、空気を吸い込んで温度や湿度の調整を行った後に空気を吹き出し、室内の空気調和を行う。
以下、本発明の実施形態に係る室内機１０について説明する。
【００１８】
図１及び図２に示すように、室内機１０は、熱交換器１３及び送風ファン１４等が配設された空調本体１１と、空気の吸込口１７を形成するとともに空調本体１１の前面に配設されたインレット開閉機構２０と、空調本体１１に設けられてインレット開閉機構２０を動作させる駆動機構１２（図３参照）とを備えている。
ここで前面とは、室内機１０を据え付けた状態で手前側となる面を示す。
【００１９】
空調本体１１の形状は特に限定されないが、本実施形態では横方向Ｄ１に延びる横長形状に形成されている。空調本体１１の下部には吹出口１５が形成され、この吹出口１５を開閉可能にフラップ１６が装着されている。
【００２０】
図３から図５に示すように、インレット開閉機構２０は、空調本体１１の前面に固定される空調本体１１とは別部材のインレットベース２１と、インレットベース２１の前面に設けられたインレットパネル２２と、インレットベース２１とインレットパネル２２とを連結する開閉リンク機構２４と、開閉リンク機構２４を収容し、又は取り付けるリンクケース２３とを有している。
【００２１】
インレットベース２１には、前面に吸込口１７が形成されて、略四角形の板状をなしている。吸込口１７は、前面に設けられ、上下左右方向に格子状に区画された複数の貫通開口２６によって形成されている。
【００２２】
インレットベース２１の横方向Ｄ１の両端側には、それぞれ取付孔２７が上下方向Ｄ３に延びて設けられている。各々の取付孔２７はインレットベース２１を板厚方向に貫通し、板厚方向から見て長方形状をなしている。また、図５及び図９に示すように、取付孔２７の周囲には、係止部として係止爪２８が設けられている。係止爪２８は取付孔２７から空調本体１１に向かって後方に突出している。
【００２３】
また、インレットベース２１の横方向Ｄ１における両端側の上部にはヒンジ部２９が設けられている。ヒンジ部２９は空調本体１１に連結されることで、インレットベース２１が空調本体１１に対して回動し、インレットベース２１の下部が前後方向Ｄ２、上下方向Ｄ３に移動可能となっている。これにより空調本体１１の前面をインレットベース２１が大きく開放することが可能となっている。
【００２４】
また、インレットベース２１の横方向Ｄ１の両端側の下部であって、取付孔２７の下方には、インレットベース２１を板厚方向に貫通し、板厚方向から見て四角形状をなす引掛部として、貫通孔等からなる引掛受部３１が設けられている。
【００２５】
インレットパネル２２は、インレットベース２１と寸法及び形状が同等か、一回り大きい略四角形の板状に形成されている。インレットパネル２２は、インレットベース２１の外側（前面側）から重なるにように設けられている。
【００２６】
図３に示すように、空気調和機１００の停止時にはインレットパネル２２をインレットベース２１に近接させることで、空調本体１１の前面に設けられた吸込口１７を閉状態とすることができる。
また図４に示すように、空気調和機１００の運転時にはインレットパネル２２をインレットベース２１から離間させることで、吸込口１７を開状態とすることができる。
【００２７】
インレットパネル２２の横方向Ｄ１の両端側の下部には、インレットベース２１とインレットパネル２２とを互いに変位可能に係止する引掛部として、インレットベース２１に向かって後方に突出する引掛フック３２が設けられている。引掛フック３２はインレットベース２１の引掛受部３１に挿通されて引っ掛かる。インレットパネル２２が閉状態であっても開状態であっても、引掛フック３２が引掛受部３１に係止された状態が常時保たれている。
インレットパネル２２の横方向Ｄ１における両端側には、開閉リンク機構２４が連結される上下方向Ｄ３に離れて一対ずつ、受け部２２ａが設けられている。受け部２２ａはインレットパネル２２からインレットベース２１に向かって後方に突出している。
【００２８】
リンクケース２３は、上下方向に延びて一方側（前方）が開口した溝３３を有する箱状をなす薄肉部材である。溝３３の底部（インレットベース２１側の底面部）は一部で貫通して開口している。そしてリンクケース２３は溝３３の開口をインレットパネル２２側に向けてインレットベース２１の取付孔２７に収容され、リンクケース２３一部がインレットベース２１側に突出した状態でインレットベース２１に取付けられて固定される。
【００２９】
また、リンクケース２３の開口端にはフランジ３６が設けられており、取付孔２７にリンクケース２３が収容された際には、インレットベース２１の表面にフランジ３６を当接させて位置決め可能となっている。
さらにリンクケース２３には、インレットベース２１の取付孔２７に設けられた係止爪２８を係止することで、リンクケース２３とインレットベース２１とを互いに係止する係止部としての係止孔３７が側面に設けられている。
【００３０】
開閉リンク機構２４は、図３、図４、及び図６から図９に示すように、リンクケース２３に設けられたスライドレール３４と、スライドレール３４にスライド自在に装着されたスライダ３８と、リンクケース２３又はスライダ３８に連結された上部リンク４１、下部リンク４２、及び中間リンク４３とを備えている。
【００３１】
スライドレール３４は、リンクケース２３の溝３３の底面に沿って上下方向Ｄ３に延びるように設けられている。
【００３２】
スライダ３８は、スライドレール３４に支持されて上下方向Ｄ３にスライド移動可能にリンクケース２３に取り付けられている。また本実施形態ではスライダ３８は空調本体１１側を向くラックギア５１を有している。
【００３３】
上部リンク４１は棒状をなしている。上部リンク４１の両端は、リンクケース２３のスライドレール３４の上方に設けられた固定ピボット部４４と、インレットパネル２２に設けられた受け部２２ａの上部ピボット部４６と、にそれぞれ横方向Ｄ１に延びる軸回りに回動可能に連結されている。
【００３４】
下部リンク４２は上部リンク４１同様に棒状をなしている。下部リンク４２の両端は、スライダ３８に設けられた可動ピボット部４７ａと、インレットパネル２２の上部ピボット部４６より下に設けられた受け部２２ａの下部ピボット部４８と、にそれぞれ横方向Ｄ１に延びる軸回りに回動可能に連結されている。この下部リンク４２は上部リンク４１より短く形成されている。
【００３５】
中間リンク４３は上部リンク４１及び下部リンク４２と同様に棒状をなしている。中間リンク４３の両端は、スライダ３８に設けられ、可動ピボット部４７ａの上方に隣接する可動ピボット部４７ｂと、上部リンク４１の中間位置に設けられた中間ピボット部４９と、にそれぞれ横方向Ｄ１に延びる軸回りに回動可能に連結されている。
【００３６】
駆動機構１２は、空調本体１１側に設けられ、スライドレール３４に対してスライダ３８をスライド移動させる。駆動機構１２はスライダ３８のラックギア５１に噛合して設けられたピニオンギア５２と、ピニオンギア５２を回転駆動する図示しないモータ等の駆動源とを備えている。
【００３７】
この開閉リンク機構２４では、図３及び図４に示すように、駆動機構１２でピニオンギア５２を回転させることでスライダ３８がリンクケース２３に対して上方にスライド移動し、中間リンク４３を押し上げる。すると、上部ピボット部４６で上部リンク４１がインレットパネル２２に対して回動しながらインレットパネル２２の上部を持ち上げつつ、吸込口１７から前方にインレットパネル２２を離間させる。
【００３８】
同時にスライダ３８の上方への移動により、下部リンク４２も上方へ移動する。この際、インレットパネル２２の下部がインレットベース２１に近接する方向に引っ張られつつインレットパネル２２が上昇する。これにより空調本体１１の吸込口１７が開状態とされる。
【００３９】
一方、ピニオンギア５２を逆回転させ、スライダ３８を下方へ移動させることで、各リンク４１、４２、４３を逆方向に動作させてインレットパネル２２を上記とは逆方向に移動させることで、空調本体１１の吸込口１７を閉状態とされる。この閉状態では、各リンク４１、４２、４３は、上下方向Ｄ３に延びるように配置され、リンクケース２３の溝３３内に完全に収容される。
【００４０】
ここで、スライダ３８の移動量や、各リンク４１、４２、４３の位置及び長さなどを適宜設定することで、インレットベース２１に対するインレットパネル２２の上昇量や傾斜角度を適宜設定可能である。
【００４１】
次に、予め製造された空調本体１１に、インレット開閉機構２０を組付けて室内機１０を組立てる方法について、図６から図１０を参照して説明する。
まず、開閉リンク組立工程Ｓ１を実行する。開閉リンク組立工程Ｓ１では、図６に示すように、スライダ３８の可動ピボット部４７ａ、４７ｂに下部リンク４２及び中間リンク４３の一端側を連結する。その後、リンクケース２３のスライドレール３４にスライダ３８を装着するともに、中間リンク４３及び下部リンク４２をリンクケース２３の溝３３の底部に挿通させて溝３３の開口側に延びるように配置する。
【００４２】
そして図７に示すように、リンクケース２３の固定ピボット部４４に上部リンク４１の一端側を連結する。またスライダ３８に連結されている中間リンク４３の他端側を上部リンク４１の中間ピボット部４９に連結する。
【００４３】
その後、連結工程Ｓ２を実行する。即ち、図８に示すように、リンクケース２３又はスライダ３８に連結された上部リンク４１及び下部リンク４２を、それぞれインレットパネル２２の上部ピボット部４６及び下部ピボット部４８に連結する。
このようにリンクケース２３に収容され又は取り付けられた開閉リンク機構２４を、まずインレットパネル２２に対して回動可能に連結する。
【００４４】
その後、リンク取付工程Ｓ３を実行する。即ち、図９に示すように、インレットベース２１とインレットパネル２２とを重ね、インレットパネル２２の引掛フック３２をインレットベース２１の引掛受部３１に挿入して位置決めするとともに、インレットベース２１の取付孔２７にリンクケース２３を挿入する。そしてリンクケース２３のフランジ３６をインレットベース２１の表面に当接させる。さらに取付孔２７に設けられた係止爪２８をリンクケース２３の係止孔３７に係止することで、インレットベース２１にリンクケース２３を取付けて固定する。
【００４５】
最後に、組付工程Ｓ４を実行する。即ち、開閉リンク機構２４及びリンクケース２３によって連結されたインレットパネル２２とインレットベース２１とを重ねた状態で、インレットベース２１をヒンジ部２９によって空調本体１１に連結し、ピニオンギア５２をラックギア５１に噛合させて、インレットベース２１を空調本体１１に組み付ける。
【００４６】
以上説明した本実施形態の室内機１０、及びその組立方法によれば、リンクケース２３に収容され、又は取り付けられた開閉リンク機構２４を予めインレットパネル２２に連結し、開閉リンク機構２４をリンクケース２３ごと、インレットベース２１に取り付けることができる。また、その後にインレットパネル２２、開閉リンク機構２４、及びインレットベース２１を一体で空調本体１１に組付けることができる。
【００４７】
よって、空調本体１１にインレットパネル２２を組付ける際に、開閉リンク機構２４を連結する作業を行わなくともよくなる。即ち、インレットパネル２２と空調本体１１との間の狭い間隙に工具や手を入れてインレットパネル２２に開閉リンク機構２４を連結するような作業が不要となる。よって吸込口１７を開閉可能に覆うインレットパネル２２を空調本体１１に容易に組付けることが可能となり、作業性の向上につながる。
【００４８】
また、本実施形態の室内機１０では、リンクケース２３とインレットベース２１とを係止するための係止爪２８と係止孔３７とが設けられているので、インレットベース２１にリンクケース２３を容易に取付けて固定することができ、開閉リンク機構２４をさらに容易に、インレットベース２１を介して空調本体１１へ組付けることができる。
【００４９】
また、本実施形態では、駆動機構１２からの駆動力がスライドレール３４に装着されたラックギア５１を有するスライダ３８を介して、上部リンク４１、中間リンク４３、及び下部リンク４２によってインレットパネル２２に伝達される。
【００５０】
そのためスライダ３８を上方へ移動させることで、中間リンク４３及び上部リンク４１を回動させて、インレットパネル２２の上部を吸込口１７から外側へ離間させるとともに上昇させることができる。この際、下部リンク４２によってインレットパネル２２の下部は空調本体１１から大きく離間することがない。よって、インレットパネル２２の上部のみを空調本体１１に対して離間させ、空調本体１１に対して傾斜させた状態で空調本体１１の吸込口１７を上部で斜めに大きく開閉することが可能である。
【００５１】
本実施形態の室内機１０では、インレットベース２１とインレットパネル２２とが引掛受部３１と引掛フック３２とで互いに変位可能に常時係止されるので、インレットパネル２２の荷重を引掛受部３１や引掛フック３２を介してインレットベース２１で支持することができる。そのため開閉リンク機構２４へのインレットパネル２２から荷重の負担を軽減でき、インレットパネル２２を滑らかに動作させ易く、かつ、リンク機構２４の耐久性を確保し易い。
【００５２】
さらに、インレットパネル２２に予め連結された開閉リンク機構２４及びリンクケース２３を、インレットベース２１に取り付ける際に、引掛受部３１と引掛フック３２とが位置決めの役割を果たすことができる。よってさらに、室内機１０の組み立ての容易化を図ることができる。
【００５３】
以上、本発明の実施形態について詳細を説明したが、本発明の技術的思想を逸脱しない範囲内において、多少の設計変更も可能である。
例えば上記実施形態では、開閉リンク機構２４の構成はインレットパネル２２により吸込口１７を開閉可能な動作が得られれば、他のリンク機構を用いることも可能である。例えば、スライダ３８をラックギア５１及びピニオンギア５２により駆動したが、スライダ３８をスライドレール３４に沿ってスライドできれば、他の駆動機構によりスライダ３８を駆動することは可能である。また、ラックアンドピニオンの機構に代えて、シリンダを有する機構を用いてもよい。
【００５４】
またインレットパネル２２は、空調本体１１の前面全体を覆う場合に限ることなく、上面等の他の位置に設けられていてもよい。さらに、インレットパネル２２の開閉方向は上述の場合に限定されず、吸込口１７の形状や位置に合わせ、開閉方向を設定可能である。
【００５５】
また上記では、インレットベース２１及びインレットパネル２２が空調本体１１の前面と同等の輪郭を有するものであったが、空調本体１１の前面とは異なる形状を有していてもよい。
【００５６】
また、上述の場合とは逆に、引掛受部３１がインレットパネル２２に設けられ、引掛フック３２がインレットベース２１に設けられてもよい。
【符号の説明】
【００５７】
Ｄ１…横方向  
Ｄ２…前後方向  
Ｄ３…上下方向  
１０…室内機  
１１…空調本体  
１２…駆動機構  
１３…熱交換器  
１４…送風ファン  
１５…吹出口  
１６…フラップ  
１７…吸込口  
２０…インレット開閉機構  
２１…インレットベース  
２２…インレットパネル  
２２ａ…受け部  
２３…リンクケース  
２４…開閉リンク機構  
２６…貫通開口  
２７…取付孔  
２８…係止爪（係止部）  
２９…ヒンジ部  
３１…引掛受部（引掛部）  
３２…引掛フック（引掛部）  
３３…溝  
３４…スライドレール  
３６…フランジ  
３７…係止孔（係止部）  
３８…スライダ  
４１…上部リンク  
４２…下部リンク  
４３…中間リンク  
４４…固定ピボット部  
４６…上部ピボット部  
４７ａ、４７ｂ…可動ピボット部  
４８…下部ピボット部  
４９…中間ピボット部  
５１…ラックギア  
５２…ピニオンギア  
１００…空気調和機  
Ｓ１…開閉リンク組立工程
Ｓ２…連結工程
Ｓ３…リンク取付工程
Ｓ４…組付工程
【図１】
2018091506.tif 000003
【図２】
2018091506.tif 000004
【図３】
2018091506.tif 000005
【図４】
2018091506.tif 000006
【図５】
2018091506.tif 000007
【図６】
2018091506.tif 000008
【図７】
2018091506.tif 000009
【図８】
2018091506.tif 000010
【図９】
2018091506.tif 000011
【図１０】
2018091506.tif 000012